(57)【特許請求の範囲】
【請求項１】
幅方向に沿って二つ折りした二つ折フィルムの各二つ折部を内側にそれぞれ直角に折り曲げた状態で、開口を上端側にして、当該二つ折フィルムを自立不能なパチンコ盤の搬送方向と直交する水平方向に沿って所定間隔をおいて起立させるために、第１コンベア装置の両側に起立して配置された直角二等辺三角形状をした一対のフォーミングプレートと、
前記パチンコ盤の走行方向に沿って先端側が予め上下方向に沿って熱融着された二つ折フィルムの内部にパチンコ盤が配置された状態で、当該パチンコ盤の搬送により前記二つ折フィルムを引っ張りながら、前記第１コンベア装置に接続する第２コンベア装置上の熱融着・切断位置に配置された当該パチンコ盤を覆っている前記二つ折フィルムにおける上下方向の既熱融着部と対向する部分を、上下方向に沿って二列状に熱融着すると共に、当該二列状に熱融着された部分の間の切断を行う上下方向熱融着・切断装置と、
前記第２コンベア装置に載せられたパチンコ盤の上端よりも上方において前記二つ折フィルムを水平方向に沿って熱融着すると共に、当該熱融着された部分よりも外側の切断を行う水平方向熱融着・切断装置と、
前記第２コンベア装置上の熱融着・切断位置のほぼ直上に配置されて、前記二つ折フィルムにおけるパチンコ盤よりも上方の上端部を把持して搬送するためのフィルム上端部把持搬送装置とを備え、
前記二つ折フィルムにおけるパチンコ盤の下辺部を除く残りの三辺部に相当する部分を熱融着して切断することで、当該パチンコ盤の全体をフィルムで自動包装する構成のパチンコ盤の自動包装装置であって、
前記二つ折フィルムの内側において前記パチンコ盤を側方から支持するために、後退時には前記第１コンベア装置の部分に配置されていると共に、搬送される前記パチンコ盤の搬送速度と同速度で前記第２コンベア装置の上の熱融着・切断位置まで移動可能な移動式側方支持ローラ装置と、
前記移動式側方支持ローラ装置が後退した状態において、前記熱融着・切断位置に配置された前記パチンコ盤を二つ折フィルムの外側から支持するために、当該パチンコ盤の搬送方向と直交する水平方向に沿って互いに接近・離間する一対の外側支持板を有する両側指示装置と、
を備えていることを特徴とするパチンコ盤の自動包装装置。
【請求項２】
前記第２コンベア装置上の熱融着・切断位置の下流側には、前進時における前記移動式側方支持ローラ装置との干渉を回避するために、パチンコ盤の搬送方向と直交する水平方向に進退して、包装済パチンコ盤を側方から支持する進退式側方支持ローラ装置が設けられていることを特徴とする請求項１に記載のパチンコ盤の自動包装装置。
【請求項３】
後退位置の前記移動式側方支持ローラ装置の上流側、及び前進位置の前記進退式側方支持ローラ装置の下流側には、それぞれ固定式側方支持ローラ装置が設けられていることを特徴とする請求項１又は２に記載のパチンコ盤の自動包装装置。
【請求項４】
請求項１に記載のパチンコ盤の自動包装装置を用いて、当該パチンコ盤を二つ折フィルムにより自動包装する方法であって、
前記第１コンベア装置によるパチンコ盤の搬送により前記二つ折フィルムを引っ張る際には、前記移動式側方支持ローラ装置を前記二つ折フィルムの内部に挿入した状態で、当該パチンコ盤の搬送と同速度で前進させることで、当該パチンコ盤を側方支持して、第２コンベア装置の熱融着・切断位置まで搬送し、
前記移動式側方支持ローラ装置が後退移動すると同時に、前記一対の外側支持板が接近して、当該移動式側方支持ローラ装置が二つ折フィルムから完全に抜け出た状態で、二つ折フィルムで覆われたパチンコ盤を両側方から支持することを特徴とするパチンコ盤の自動包装方法。
【発明の詳細な説明】
【技術分野】
【０００１】
本発明は、起立配置された一対のフォーミングプレートにより、幅方向に沿って二つ折りしたフィルムの各二つ折部を内側にそれぞれ直角に折り曲げて所定間隔をおいて起立させることで、当該二つ折部の間に挿入配置された自立不能なパチンコ盤を自動包装する装置、及びその方法に関するものである。
【０００２】
本明細書において、パチンコ機とは、パチンコ盤が外枠に収納されて、ホールで使用可能な状態のものを指し、パチンコ機は、自立可能であるが、パチンコ盤は、制御盤類が背面側に向けて突出しているために、垂直姿勢において支えを解除すると搬送姿勢で側方（パチンコ盤自身からみると背面側）に倒れてしまうため、自立不能である。このため、パチンコ盤とは、パチンコ機の本体部を構成するパチンコ機本体とも称することができる。
【背景技術】
【０００３】
自立可能なパチンコ機の包装装置には、特許文献１等に開示されているように種々のものがあり、その中で、起立配置された一対のフォーミングプレートにより、幅方向に沿って二つ折りしたフィルムの各二つ折部を内側にそれぞれ直角に折り曲げて所定間隔をおいて起立させることで、当該二つ折部の間に挿入配置されたパチンコ機を自動包装する装置が知られている。
【０００４】
このパチンコ機の自動包装装置は、先端部が上下方向に予め熱融着されている二つ折フィルムの各二つ折部の間に、第１コンベア装置に載せられたパチンコ機を挿入配置して、当該第１コンベア装置によりパチンコ機を搬送することで、二つ折フィルムを引っ張りながら、熱融着・切断位置が設けられた第２コンベア装置まで当該パチンコ機を搬送して停止させ、当該熱融着・切断位置において、パチンコ機を覆っている二つ折フィルムにおける先端部の既熱融着部と対向する部分を上下方向に熱融着及び切断すると共に、パチンコ機の上端に対応する部分を水平方向に沿って熱融着及び切断することで、内部にパチンコ機が挿入配置された二つ折フィルムの二つ折部の下辺部を除く三辺部を熱融着させることで、自動包装している。
【０００５】
このように、二つ折フィルムの使用により、自立可能なパチンコ機の自動包装は実現されていた。一方、パチンコホールにおいては、外枠はそのまま使用して、パチンコ盤のみを交換することで、新規のパチンコ機の導入を図ることがあり、この場合には、パチンコ盤についても、包装の必要が生ずる。
【０００６】
しかし、パチンコ盤は、自立不能であるので、パチンコ機の自動包装装置をそのまま使用して自動包装することはできないために、パチンコ盤は、一つずつ手作業に近い状態で包装せざるを得なかった。よって、パチンコ盤の包装能率は極めて悪かった。
【先行技術文献】
【特許文献】
【０００７】
【特許文献１】特開２００５−８１１３２号公報
【発明の概要】
【発明が解決しようとする課題】
【０００８】
本発明は、パチンコ機の自動包装装置において、第１及び第２の各コンベア装置によりパチンコ盤を搬送する際に、パチンコ盤を側方から支持する装置を付加することで、パチンコ機と同様にして、当該パチンコ盤の自動包装を可能にすることを課題としている。
【課題を解決するための手段】
【０００９】
上記課題を解決するための請求項１の発明は、幅方向に沿って二つ折りした二つ折フィルムの各二つ折部を内側にそれぞれ直角に折り曲げた状態で、開口を上端側にして、当該二つ折フィルムを自立不能なパチンコ盤の搬送方向と直交する水平方向に沿って所定間隔をおいて起立させるために、第１コンベア装置の両側に起立して配置された直角二等辺三角形状をした一対のフォーミングプレートと、前記パチンコ盤の走行方向に沿って先端側が予め上下方向に沿って熱融着された二つ折フィルムの内部にパチンコ盤が配置された状態で、当該パチンコ盤の搬送により前記二つ折フィルムを引っ張りながら、前記第１コンベア装置に接続する第２コンベア装置上の熱融着・切断位置に配置された当該パチンコ盤を覆っている前記二つ折フィルムにおける上下方向の既熱融着部と対向する部分を、上下方向に沿って二列状に熱融着すると共に、当該二列状に熱融着された部分の間の切断を行う上下方向熱融着・切断装置と、前記第２コンベア装置に載せられたパチンコ盤の上端よりも上方において前記二つ折フィルムを水平方向に沿って熱融着すると共に、当該熱融着された部分よりも外側の切断を行う水平方向熱融着・切断装置と、前記第２コンベア装置上の熱融着・切断位置のほぼ直上に配置されて、前記二つ折フィルムにおけるパチンコ盤よりも上方の上端部を把持して搬送するためのフィルム上端部把持搬送装置とを備え、前記二つ折フィルムにおけるパチンコ盤の下辺部を除く残りの三辺部に相当する部分を熱融着して切断することで、当該パチンコ盤の全体をフィルムで自動包装する構成のパチンコ盤の自動包装装置であって、前記二つ折フィルムの内側において前記パチンコ盤を側方から支持するために、後退時には前記第１コンベア装置の部分に配置されていると共に、搬送される前記パチンコ盤の搬送速度と同速度で前記第２コンベア装置の上の熱融着・切断位置まで移動可能な移動式側方支持ローラ装置と、前記移動式側方支持ローラ装置が後退した状態において、前記熱融着・切断位置に配置された前記パチンコ盤を二つ折フィルムの外側から支持するために、当該パチンコ盤の搬送方向と直交する水平方向に沿って互いに接近・離間する一対の外側支持板を有する両側支持装置とを備えていることを特徴としている。
【００１０】
請求項１の発明によれば、二つ折フィルムは、所定間隔をおいて第１コンベア装置の両側に起立配置された一対のフォーミングプレートにより、前記第１コンベア装置を包み込むようにして、各二つ折部を内側にしてそれぞれ直角に折り曲げられて起立させられ、この状態で、二つ折フィルムの内部に挿入された移動式側方支持ローラ装置が、第１コンベア装置の搬送速度と同速度で前進移動することで、自立不能なパチンコ盤は、二つ折フィルム内において、その一側方を前記移動式側方支持ローラ装置により支持されているために、起立した自立姿勢を維持したままで、第１コンベア装置により搬送されることで、前記二つ折フィルムを引っ張りながら、第２コンベア装置に移送されて、当該第２コンベア装置上の熱融着・切断位置まで搬送されて停止する。その後に、移動式側方支持ローラ装置は、パチンコ盤の搬送方向と逆方向に後退移動することで、二つ折フィルムの内部から抜け出ると同時に、熱融着・切断位置に配置されているパチンコ盤の両側方に配置された一対の外側支持板が互いに近接して、二つ折フィルムで覆われた当該パチンコ盤を両側方から支持することで、パチンコ盤は、第２コンベア装置上の熱融着・切断位置において自立姿勢を維持する。なお、上部が開口している二つ折フィルムの上端部は、フィルム上端部把持搬送装置により把持されて、第１及び第２の各コンベア装置と同一速度で把持搬送される。
【００１１】
二つ折フィルムで覆われたパチンコ盤が第２コンベア装置の熱融着・切断位置に配置されて、両側方を一対の外側支持板で支持されることで、自立姿勢が維持されている状態において、前端部が上下方向に予め熱融着されている二つ折フィルムの残りの三辺部のうち、底辺部を除く隣接する二辺部は、上下方向及び水平方向の各熱融着・切断装置によって、それぞれ熱融着・切断されることで、パチンコ盤は、密閉状態に包装される。この結果、第１コンベア装置上に位置する残存された二つ折フィルムの先端部は、上下方向に熱融着されることで、閉じられると共に、二つ折フィルムにおけるパチンコ機の上端よりも上方の部分は、水平方向に切断されることで、二枚重ねとなったフィルム耳部となって、自動包装装置の外部に排出される。
【００１２】
請求項２の発明は、請求項１の発明において、前記第２コンベア装置上の熱融着・切断位置の下流側には、前進時における前記移動式側方支持ローラ装置との干渉を回避するために、パチンコ盤の搬送方向と直交する水平方向に進退して、包装済パチンコ盤を側方から支持する進退式側方支持ローラ装置が設けられていることを特徴としている。
【００１３】
請求項２の発明によれば、移動式側方支持ローラ装置がパチンコ盤と一体となって前進移動して、第２コンベア装置上の熱融着・切断位置まで搬送される際には、当該熱融着・切断位置の直下流側に配置された進退式側方支持ローラ装置は、前記移動式側方支持ローラ装置の先端部との干渉を回避するために、後退している。二つ折フィルムの隣接する二辺を熱融着して切断する際には、移動式側方支持ローラ装置は後退位置まで後退していて、パチンコ盤を包んでいる上面が開口した二つ折フィルムの内部からは脱出している。第２コンベア装置上の熱融着・切断位置に配置されたパチンコ盤が、上記のようにして完全密封による包装が終了する時点において、進退式側方支持ローラ装置は、包装済のパチンコ盤を側方支持できるように、前進位置まで前進していて、第２コンベア装置が作動を開始して、当該第２コンベア装置上でパチンコ盤を両側方から支持している一対の外側支持板が僅かに離間を開始すると、包装済のパチンコ盤は、進退式側方支持ローラ装置により一側方を支持された状態で、当該第２コンベア装置の下流側に搬送される。
【００１４】
請求項３の発明は、請求項１又は２の発明において、後退位置の前記移動式側方支持ローラ装置の上流側、及び前進位置の前記進退式側方支持ローラ装置の下流側には、それぞれ固定式側方支持ローラ装置が設けられていることを特徴としている。
【００１５】
請求項３の発明によれば、パチンコ盤が第１コンベア装置により搬送されて、二つ折フィルムの内部に達するまでの間において、当該パチンコ盤は、その一側方が固定式側方支持ローラ装置により支持することで、パチンコ盤は、自立姿勢を維持して、二つ折フィルムの部分まで搬送される。また、包装済のパチンコ盤は、前進位置の進退式側方支持ローラ装置により一側方を支持されることで、自立姿勢を維持して第２コンベア装置の下流側に搬送を開始された後に、当該進退式側方支持ローラ装置の下流側に配置された別の固定式側方支持ローラ装置により、一側方を支持されることで、自動包装装置の外部に排出される。
【００１６】
請求項４の発明は、請求項１に記載のパチンコ盤の自動包装装置を用いて、当該パチンコ盤を二つ折フィルムにより自動包装する方法であって、前記第１コンベア装置によるパチンコ盤の搬送により前記二つ折フィルムを引っ張る際には、前記移動式側方支持ローラ装置を前記二つ折フィルムの内部に挿入した状態で、当該パチンコ盤の搬送と同速度で前進させることで、当該パチンコ盤を側方支持して、第２コンベア装置の熱融着・切断位置まで搬送し、前記移動式側方支持ローラ装置が後退移動すると同時に、前記一対の外側支持板が接近して、当該移動式側方支持ローラ装置が二つ折フィルムから完全に抜け出た状態で、二つ折フィルムで覆われたパチンコ盤を両側方から支持することを特徴としている。
【００１７】
請求項４の発明によれば、二つ折フィルムの内部に挿入されたパチンコ盤が、第１コンベア装置により、第２コンベア装置上の熱融着・切断位置まで移送されて停止する間は、第１コンベア装置の部分に配置された移動式側方支持ローラ装置が二つ折フィルムの内部に挿入されて、パチンコ盤の一側方を直接に支持することで、当該パチンコ盤は、自立姿勢を維持したままで、第２コンベア装置上の熱融着・切断位置まで移送されて停止する。その後に、移動式側方支持ローラ装置が後退移動して、二つ折フィルムの内部から抜け出ると同時に、一対の外側支持板が互いに近接して、二つ折フィルムで覆われたパチンコ盤を両側方から支持することで、パチンコ盤の自立姿勢が維持され、この状態で、前端部が上下方向に予め熱融着されている二つ折フィルムの残りの三辺部のうち、底辺部を除く隣接する二辺部は、上下方向及び水平方向の各熱融着・切断装置によって、それぞれ熱融着・切断される。
【発明の効果】
【００１８】
本発明によれば、移動式側方支持ローラ装置が二つ折フィルムの内部に挿入されて、パチンコ盤の一側方を支持して自立姿勢を維持したままで、当該パチンコ盤は、第１コンベア装置から第２コンベア装置の熱融着・切断位置まで移送され、前記移動式側方支持ローラ装置が二つ折フィルムの内部から抜け出ると同時に、両側支持装置を構成する一対の外側支持板が近接して、パチンコ盤の両側を支持する構成であるので、自立可能なパチンコ盤の自動包装装置に対して移動式側方支持ローラ装置及び両側支持装置を組み込むことで、自立不能なパチンコ盤を自立可能なパチンコ機と同様して、自動包装できる。
【図面の簡単な説明】
【００１９】
【図１】本発明に係るパチンコ盤Ｐの自動包装装置の全体斜視図である。
【図２】同じく正面図である。
【図３】図２のＸ−Ｘ線断面図である。
【図４】本発明に係るパチンコ盤Ｐの自動包装装置の一対のフォーミングプレート１及び移動式側方支持ローラ装置Ｒ1 の部分の斜視図である。
【図５】第１及び第２の各コンベア装置Ｃ1,Ｃ2 の周辺に配置された移動式及び進退式の各側方支持ローラ装置Ｒ1 ，Ｒ2 、固定式側方支持ローラ装置Ｒ3 ，Ｒ4 並びに両側支持装置Ｓの斜視図である。
【図６】（ａ），（ｂ）は、移動式側方支持ローラ装置Ｒ1 の後退位置及び前進位置における斜視図である。
【図７−Ａ】（ａ）〜（ｃ）は、第１コンベア装置Ｃ1 から第２コンベア装置Ｃ2 上の熱融着・切断位置Ｋまでパチンコ盤Ｐが移送される工程を順次示す平面図である。
【図７−Ｂ】（ｄ），（ｅ）は、第２コンベア装置Ｃ2 上の熱融着・切断位置Ｋにおいてパチンコ盤Ｐを覆っている二つ折フィルムＦが熱融着・切断された後に下流側に搬送される工程を順次示す平面図である。
【図８】第１コンベア装置Ｃ1 上のパチンコ盤Ｐが第２コンベア装置Ｃ2 に移送される途中を示す正面図である。
【図９】パチンコ盤Ｐが第２コンベア装置Ｃ2 上の熱融着・切断位置に搬送されて停止している状態の正面図である。
【図１０】パチンコ盤Ｐが第２コンベア装置Ｃ2 上の熱融着・切断位置に搬送されて停止している状態の側面図である。
【図１１】パチンコ盤Ｐの両側が一対の外側支持板１６により支持されて、上辺部及び一方の側辺部を熱融着・切断している状態の側面図である。
【図１２】熱融着・切断後において、包装済のパチンコ盤Ｐを下流側に搬送している状態の側面図である。
【図１３】（ａ），（ｂ）は、それぞれ上下方向、及び水平方向の各熱融着・切断装置Ａ，Ｂの各作動部Ａ1 ，Ｂ1 の模式的断面図である。
【図１４】（ａ），（ｂ），（ｃ）は、それぞれ包装されたパチンコ盤Ｐの斜視図、正面図及び側面図である。
【発明を実施するための形態】
【００２０】
以下、実施例を挙げて、本発明を更に詳細に説明する。図１〜図６において、本発明に係るパチンコ盤の自動包装装置は、一対のフォーミングプレート１により二つ折フィルムＦの折曲げ部を内側にして直角に折り曲げると共に、開口を上方にして起立させ、起立された二つ折フィルムＦの間にパチンコ盤Ｐを自立姿勢で挿入配置させるための前部（パチンコ盤Ｐの自立姿勢維持、及びフィルム折曲げ・起立部）と、内部にパチンコ盤Ｐが挿入配置された二つ折フィルムＦにおける上下方向の既熱融着部Ｗ0 と対向する上下方向の部分、及び開口側の上端部を熱融着して切断するための後部（フィルム熱融着・切断部）とから成る。
【００２１】
図４に示されるように、パチンコ盤の自動包装装置の前部には、第１コンベア装置Ｃ1 の両側に、直角二等辺三角形状をした一対のフォーミングプレート１が所定間隔をおいて起立配置され、前記第１コンベア装置Ｃ1 の手前側には、二つ折フィルムＦが巻取軸（図示せず）に巻回された原反フィルムＦ0 が、当該巻取軸を前記第１コンベア装置Ｃ1 と平行にして配置されている。第１コンベア装置Ｃ1 の原反フィルムＦ0 との間には、原反フィルムＦ0 から引き出された二つ折フィルムＦにおける第１コンベア装置Ｃ1 に近接した部分を上下から挟持するための一対の挟持ローラ２ａ，２ｂが、原反フィルムＦ0 の巻取軸と平行に配置されている。
【００２２】
原反フィルムＦ0 から引き出された二つ折フィルムＦは、一対の挟持ローラ２ａ，２ｂを通過した後において、上方及び下方の各二つ折部Ｆａの連結部が第１コンベア装置Ｃ1 の底部に配置される形態となって、即ち、前記連結部が第１コンベア装置Ｃ1 の裏面側に配置される形態となって、上方及び下方の各二つ折部Ｆａは、それぞれ直角に折り曲げられた部分において、手前側及び奥側の各フォーミングプレート１の両面を覆うことで、当該二つ折フィルムＦは、開口が上端側となって、起立配置される。
【００２３】
図４〜図６、図８及び図９に示されるように、第１コンベア装置Ｃ1 のほぼ直上には、パチンコ盤Ｐの枠体８１の上端部の側面を支持する移動式及び固定式の各側方支持ローラ装置Ｒ1 ，Ｒ3 が、パチンコ盤Ｐの搬送方向Ｑに沿って直列に配置されていて、各側方支持ローラ装置Ｒ1 ，Ｒ3 は、フレーム３の垂直板部４の側面に取付けられている。フレーム３は、自動包装装置の上部の枠体５に取付けられている。各側方支持ローラ装置Ｒ1 ，Ｒ3 は、いずれも水平配置されたローラ支持板６，７の下方に多数のローラ８が、パチンコ盤Ｐの搬送方向Ｑに沿って一定間隔をおいて軸心を垂直にして支持された構成である。移動式側方支持ローラ装置Ｒ1 は、パチンコ盤Ｐの搬送方向Ｑに沿って下流側に配置されて、ローラ支持板６の上流側に設けられた案内体９が、フレーム３の垂直板部４に設けられたレール体１１に案内されることで、前記搬送方向Ｑに移動可能になっていて、ローラ支持板７の上面に設けられたシリンダ１２のロッド１３が前記ローラ支持板６の上流側の端部に連結され、シリンダ１２のロッド１３の出入りにより、移動式側方支持ローラ装置Ｒ1 は、前記搬送方向Ｑに沿って移動する構成である。
【００２４】
本発明に係るパチンコ盤の自動包装装置の後部には、第１コンベア装置Ｃ1 に接続して、第２コンベア装置Ｃ2 が僅かの間隔をおいて直列状に配置されている。第１及び第２の各コンベア装置Ｃ1 ，Ｃ2 の間の隙間は、後述の上下方向熱融着・切断装置Ａを配置させるための空間１０（図２参照）である。この空間１０には、二つ折フィルムＦの底部が通過するために、当該二つ折フィルムＦの底部を支持するフィルム支持ローラ１４がシリンダ１５の作用により、斜方向に出入り可能に配置されている。
【００２５】
図１〜図６に示されるように、第２コンベア装置Ｃ2 の上流側の端部は、第１コンベア装置Ｃ1 から移送されたパチンコ盤Ｐを停止させて、当該パチンコ盤Ｐを覆っている二つ折フィルムＦの開放している上辺部及び一方の側辺部を熱融着して切断するための熱融着・切断位置Ｋとなっている。熱融着・切断位置Ｋの両側方には、アクチュエータ（図示せず）により、互いに接近・離間する一対の外側支持板１６から成る両側支持装置Ｓが設けられている。また、第１コンベア装置Ｃ1 から第２コンベア装置Ｃ2 に移送されたパチンコ盤Ｐの停止位置を定めるためのストッパー１７が、第２コンベア装置Ｃ2 の上面に対してパチンコ盤Ｐの搬送方向Ｑと直交する方向Ｔに沿って出入り可能に設けられている。
【００２６】
第２コンベア装置Ｃ2 の一側方における熱融着・切断位置Ｋよりも下流側には、包装済のパチンコ盤Ｐを一側方から支持するための進退式側方支持ローラ装置Ｒ2 が、第２コンベア装置Ｃ2 に対して進退可能なように配置され、更に、当該進退式側方支持ローラ装置Ｒ2 の下流側には、固定式側方支持ローラ装置Ｒ4 が前記固定式側方支持ローラ装置Ｒ3 の延長線上に設けられていて、包装済のパチンコ盤Ｐを一側方から支持することで、自立姿勢で装置外に搬送している。
【００２７】
図１〜図３，図７及び図１０に示されるように、上下方向熱融着・切断装置Ａは、第２コンベア装置Ｃ2 の上の熱融着・切断位置Ｋにパチンコ盤Ｐが配置された状態で、当該パチンコ盤Ｐを覆っている二つ折フィルムＦにおける先端部の上下方向の既熱融着部Ｗ0 と対向する部分を上下方向に沿って熱融着して切断するための装置であり、水平方向熱融着・切断装置Ｂは、上記状態において、当該パチンコ盤Ｐを覆っている二つ折フィルムＦにおける上端部を水平方向に沿って熱融着して切断するための装置である。両装置Ａ，Ｂは、いずれも熱融着用のヒータ２１（２２）及び切断刃２３（２４）を備えた作動部Ａ1 ，Ｂ1 と、当該作動部Ａ1 ，Ｂ1 との間で、二つ折フィルムＦの各二つ折部Ｆａを挟むために、当該作動部Ａ1 ，Ｂ1 に対して対向配置された受け部Ａ2 ，Ｂ2 とで構成される。
【００２８】
両装置Ａ，Ｂの作動部Ａ1 ，Ｂ1 と受け部Ａ2 ，Ｂ2 は、いずれも全体形状がＬ字形の一体状に形成されることで、水平方向熱融着・切断装置Ｂの作動部Ｂ1 及び受け部Ｂ2 は、いずれも片持ち状となって支持されている。両装置Ａ，Ｂの作動部Ａ1 ，Ｂ1 と受け部Ａ2 ，Ｂ2 は、エアシリンダ２５，２６により、互いに接近・離間するようになっている。
【００２９】
上下方向熱融着・切断装置Ａの作動部Ａ1 は、図１３に示されるように、水平方向に沿って所定間隔をおいて上下方向に配置された２本のヒータ２１の間に切断刃２３が上下方向に配置され、水平方向熱融着・切断装置Ｂの作動部Ｂ1 は、水平方向に配置された１本のヒータ２２の直上に切断刃２４が同方向に配置され、両装置Ａ，Ｂのヒータ２１，２２及び切断刃２３，２４は、いずれも直交した状態で接続されている。受け部Ａ2 ，Ｂ2 には、熱融着及び切断の際に、前記ヒータ２１，２２及び切断刃２３，２４を弾性的に当接させるためのスポンジ体２７が設けられている。
【００３０】
また、第２コンベア装置Ｃ2 における熱融着・切断位置Ｋ及び進退式側方支持ローラ装置Ｒ2 の直上には、二つ折フィルムＦにおけるパチンコ盤Ｐよりも上方の上端部を把持して搬送するためのフィルム上端部把持搬送装置Ｄが配置されている。このフィルム上端部把持搬送装置Ｄは、一対の無端チェーン２８ａ、２８ｂが互いに逆方向に周回して、互いの直線走行部を接触させることで、二つ折フィルムＦの上端部を把持して搬送する構成である。
【００３１】
熱融着・切断位置Ｋにおいて、パチンコ盤Ｐを覆っている二つ折フィルムＦの上辺部と既熱融着部Ｗ0 と対向する一方の側辺部とを、上下方向及び水平方向の各熱融着・切断装置Ａ，Ｂにより熱融着して切断した後には、二つ折フィルムＦの上端部にフィルム耳部Ｆｂが発生し、当該フィルム耳部Ｆｂは、装置内に配設された複数の案内ローラ３１，３２に案内されて、フィルム耳部巻取軸３３に巻き取られる。
【００３２】
次に、図７−Ａ〜図１０を主体にして、本発明の作用について説明する。図７−Ａ（ａ）に示されるように、第１コンベア装置Ｃ1 に搬入されたパチンコ盤Ｐは、固定式側方支持ローラ装置Ｒ4 及び移動式側方支持ローラ装置Ｒ1 に一側方を支持されることで、自立姿勢を維持しながら、第２コンベア装置Ｃ2 の側に向けて搬送され、パチンコ盤Ｐが二つ折フィルムＦの間に達すると、一側方を支持している移動式側方支持ローラ装置Ｒ1 は、パチンコ盤Ｐの搬送速度と同速度で前進移動することで、パチンコ盤Ｐの一側方を支持しながら、二つ折フィルムＦの内部に入り込む。
【００３３】
図７−Ａ（ｂ）及び図８に示されるように、パチンコ盤Ｐの移動により、先端部が上下方向に熱融着された既熱融着部Ｗ0 となっている二つ折フィルムＦを引き出しながら、パチンコ盤Ｐが第２コンベア装置Ｃ2 に移送されて、先端面がストッパー１７に当接すると、第２コンベア装置Ｃ2 が停止して、パチンコ盤Ｐは、第２コンベア装置Ｃ2 上の熱融着・切断位置Ｋに配置される。図１０は、パチンコ盤Ｐが第２コンベア装置Ｃ2 上の熱融着・切断位置Ｋに配置されて、その一側方が移動式側方支持ローラ装置Ｒ1 により支持されている状態である。この状態で、両側支持装置Ｓを構成する一対の外側支持板１６が互いに接近すると同時に、移動式側方支持ローラ装置Ｒ1 は後退移動を開始し、パチンコ盤Ｐが一対の外側支持板１６で支持された時点において、図７−Ａ（ｃ）及び図９に示されるように、移動式側方支持ローラ装置Ｒ1 は、二つ折フィルムＦの内部から抜け出ている。
【００３４】
第２コンベア装置Ｃ2 上の熱融着・切断位置Ｋに配置されたパチンコ盤Ｐの両側面が一対の外側支持板１６で支持されることで、当該パチンコ盤Ｐの自立姿勢が維持されている状態において、図７−Ｂ（ｄ）及び図１１に示されるように、上下方向及び水平方向の各熱融着・切断装置Ａ，Ｂを構成する作動部Ａ1 ，Ｂ1 と受け部Ａ2 ，Ｂ2 とが互いに接近して密着することで、二つ折フィルムＦの上辺部及び既熱融着部Ｗ0 と対向する残りの側辺部とが熱融着されて切断されることで、二つ折フィルムＦが切断されたフィルムＦ’によりパチンコ盤Ｐが密閉状態で包装される。ここで、残りの側辺部の熱融着部を「Ｗ1 」とし、上辺部の熱融着部を「Ｗ2 」とする。これにより、残りの二つ折フィルムＦの先端部は、上下方向に熱融着されて既熱融着部Ｗ0 となって閉塞され、次のパチンコ盤Ｐを包装する部分となる。なお、パチンコ盤Ｐが第２コンベア装置Ｃ2 上の熱融着・切断位置Ｋに配置されてから、包装が完了するまでは、進退式側方支持ローラ装置Ｒ2 は、後退している。
【００３５】
パチンコ盤Ｐの包装後においては、図７−Ｂ（ｅ）及び図１２に示されるように、後退していた進退式側方支持ローラ装置Ｒ2 が前進して、パチンコ盤Ｐの枠体５の部分を支持した後において、一対の外側支持板１６及びストッパー１７が後退して、第２コンベア装置Ｃ2 が作動することで、包装済のパチンコ盤Ｐは、進退式側方支持ローラ装置Ｒ2 及び固定式側方支持ローラ装置Ｒ4 により一側方を支持されることで、自立姿勢を維持しながら、装置の外部に搬出される。包装済のパチンコ盤Ｐが図１４に示されている。
【符号の説明】
【００３６】
Ａ：上下方向熱融着・切断装置
Ａ1 ：上下方向熱融着・切断装置の作動部
Ａ2 ：上下方向熱融着・切断装置の受け部
Ｂ：水平方向熱融着・切断装置
Ｂ1 ：水平方向熱融着・切断装置の作動部
Ｂ2 ：水平方向熱融着・切断装置の受け部
Ｃ1 ：第１コンベア装置
Ｃ2 ：第２コンベア装置
Ｄ：フィルム上端部把持搬送装置
Ｆ：二つ折フィルム
Ｋ：熱融着・切断装置
Ｐ：パチンコ盤
Ｑ：パチンコ盤の搬送方向（二つ折フィルムの走行方向）
Ｒ1 ：移動式側方支持ローラ装置
Ｒ2 ：進退式側方支持ローラ装置
Ｒ3,Ｒ4 ：固定式側方支持ローラ装置
Ｓ：両側支持装置
Ｗ0 ：既熱融着部
Ｗ1 ：上下方向の熱融着部
Ｗ2 ：水平方向の熱融着部
１：フォーミングプレート
１６：外側支持板
【図１】
0006275600.tif 000002
【図２】
0006275600.tif 000003
【図３】
0006275600.tif 000004
【図４】
0006275600.tif 000005
【図５】
0006275600.tif 000006
【図６】
0006275600.tif 000007
【図７−Ａ】
0006275600.tif 000008
【図７−Ｂ】
0006275600.tif 000009
【図８】
0006275600.tif 000010
【図９】
0006275600.tif 000011
【図１０】
0006275600.tif 000012
【図１１】
0006275600.tif 000013
【図１２】
0006275600.tif 000014
【図１３】
0006275600.tif 000015
【図１４】
0006275600.tif 000016